(57)【要約】【課題】結露水の飛散を抑制することが可能な複数の扁平管を有する室内熱交換器および空気調和装置を提供する。【解決手段】空気調和装置１の室内ユニット３に用いられる室内熱交換器５１であって、冷媒の流路５５ｃを有し、上下に並んだ複数の室内扁平管５５と、複数の室内扁平管５５に接合された複数の室内フィン６０と、を備え、室内フィン６０は、上下に並んだ室内扁平管５５同士の間に位置する各部分と繋がっており、上下に延びた室内連通部６４を有し、４．０≦ＤＰ／ＨＴ≦１０．０の関係を満たす（ＨＴは室内扁平管５５の高さ、ＤＰは上下に並んだ室内扁平管５５のピッチ）。【選択図】図１１
2019128060.tif 000002
【特許請求の範囲】
【請求項１】
空気調和装置（１）の室内機（３）に用いられる室内熱交換器（５１）であって、
内部に冷媒を通過させる流路（５５ｃ）を有しており、上下に並んだ複数の扁平管（５５）と、
複数の前記扁平管に接合された複数の伝熱フィン（６０）と、
を備え、
前記伝熱フィンは、上下に並んだ前記扁平管同士の間に位置する各部分（６５）と繋がっており、上下に延びた連通部（６４）を有しており、
前記扁平管の高さをＨＴとし、上下に並んだ前記扁平管のピッチをＤＰとした場合に、
４．０≦ＤＰ／ＨＴ≦１０．０の関係を満たす、
室内熱交換器。
【請求項２】
室外熱交換器（１１）を有する室外機（２）と共に空気調和装置（１）を構成する室内機（３）に用いられる室内熱交換器（５１）であって、
前記室外熱交換器及び前記室内熱交換器は、それぞれ
内部に冷媒を通過させる流路（９０ｃ、５５ｃ）を有しており、上下に並んだ複数の扁平管（９０、５５）と、
複数の前記扁平管に接合された複数の伝熱フィン（９１、６０）と、
を備え、
前記伝熱フィンは、上下に並んだ前記扁平管同士の間に位置する各部分（９７ｂ、６５）と繋がっており、上下に延びた連通部（９７ａ、６４）を有しており、
前記扁平管の高さをＨＴとし、上下に並んだ前記扁平管のピッチをＤＰとした場合において、前記室内熱交換器のＤＰ／ＨＴの値は前記室外熱交換器のＤＰ／ＨＴの値よりも小さい、
室内熱交換器。
【請求項３】
前記扁平管は、空気流れ方向の上流側に配置された複数の上流側扁平管と、前記上流側扁平管よりも空気流れ方向の下流側に配置された複数の下流側扁平管と、を有している、
請求項１または２に記載の室内熱交換器。
【請求項４】
前記連通部（６４）は、空気流れ方向における前記扁平管の風下側に位置している、
請求項１から３のいずれか１項に記載の室内熱交換器。
【請求項５】
空気流れ方向における前記伝熱フィンの長さをＷＦとし、空気流れ方向における前記連通部の長さをＷＬとした場合に、
０．２≦ＷＬ／ＷＦ≦０．５の関係を満たす、
請求項１から４のいずれか１項に記載の室内熱交換器。
【請求項６】
前記伝熱フィンは、長手方向が上下方向である切り起こし部（６２、６３）を有している、
請求項１から５のいずれか１項に記載の室内熱交換器。
【請求項７】
４．６≦ＤＰ／ＨＴ≦８．０の関係を満たす、
請求項１から６のいずれか１項に記載の室内熱交換器。
【請求項８】
請求項１から７のいずれか１項に記載の室内熱交換器（５１）を有する室内機（３）と、
室外熱交換器（１１）を有する室外機（２）と、
を備えた空気調和装置（１）。
【発明の詳細な説明】
【技術分野】
【０００１】
本開示は、室内熱交換器および空気調和装置に関する。
【背景技術】
【０００２】
従来より、空気調和装置の室外機が有する室外熱交換器として、例えば、特許文献１（特開２０１６−０４１９８６号）に記載されているように、複数の扁平管に対して伝熱フィンが接合されたものがある。
【発明の概要】
【発明が解決しようとする課題】
【０００３】
このような、複数の扁平管に対して伝熱フィンが接合されて構成される熱交換器を、空気調和装置の室内機において用いる場合には、冷媒の蒸発器として機能させる際に生じる結露水の室内空間への飛散が問題となる。
【０００４】
本開示は、上述した点に鑑みてなされたものであり、本開示における課題は、結露水の飛散を抑制することが可能な複数の扁平管を有する室内熱交換器および空気調和装置を提供することにある。
【課題を解決するための手段】
【０００５】
第１観点に係る室内熱交換器は、空気調和装置の室内機に用いられる室内熱交換器である。室内熱交換器は、複数の扁平管と複数の伝熱フィンを備えている。扁平管は、内部に冷媒を通過させる流路を有している。複数の扁平管は、上下に並んでいる。複数の伝熱フィンは、複数の扁平管に接合されている。伝熱フィンは、連通部を有している。連通部は、上下に延びている。伝熱フィンの連通部は、伝熱フィンの一部であって、上下に並んだ扁平管同士の間に位置する各部分と繋がっている。室内熱交換器は、４．０≦ＤＰ／ＨＴ≦１０．０の関係を満たす。ここで、ＨＴは、扁平管の高さである。ＤＰは、上下に並んだ扁平管のピッチである。
【０００６】
この室内熱交換器では、室内熱交換器に対して供給される空気流れの流速を大きくする場合であっても、冷媒の蒸発器として用いられた場合に生じる結露水の飛散を抑制させることが可能になる。
【０００７】
第２観点に係る室内熱交換器は、室内機に用いられる室内熱交換器である。当該室内機は、室外熱交換器を有する室外機と共に空気調和装置を構成するものである。室外熱交換器は、複数の扁平管と複数の伝熱フィンを備えている。室内熱交換器も、複数の扁平管と複数の伝熱フィンを備えている。これらの扁平管は、内部に冷媒を通過させる流路を有している。複数の扁平管は、上下に並んでいる。複数のフィンは、複数の扁平管に接合されている。伝熱フィンは、連通部を有している、連通部は、上下に延びている。伝熱フィンの連通部は、伝熱フィンの一部であって、上下に並んだ扁平管同士の間に位置する各部分と繋がっている。室内熱交換器のＤＰ／ＨＴの値は室外熱交換器のＤＰ／ＨＴの値よりも小さい。ここで、ＨＴは、扁平管の高さである。ＤＰは、上下に並んだ扁平管のピッチである。
【０００８】
この室内熱交換器では、室外熱交換器が冷媒の蒸発器として用いられた場合における着霜を抑制させつつ、室内熱交換器が冷媒の蒸発器として用いられた場合に生じる結露水の飛散を抑制させることが可能になる。
【０００９】
第３観点に係る室内熱交換器は、第１観点または第２観点に係る室内熱交換器であって、扁平管は、空気流れ方向の上流側に配置された複数の上流側扁平管と、上流側扁平管よりも空気流れ方向の下流側に配置された複数の下流側扁平管と、を有している。
【００１０】
この室内熱交換器では、下流側扁平管の空気流れ方向の下流側端部からの結露水の飛散を抑制することが可能になる。
【００１１】
第４観点に係る室内熱交換器は、第１観点から第３観点のいずれかに係る室内熱交換器であって、連通部は、空気流れ方向における扁平管の風下側に位置している。
【００１２】
この室内熱交換器では、扁平管で生じた結露水を、空気流れ方向における下流側に位置している伝熱フィンの連通部に伝わせながら下方に導くことで、伝熱フィンの空気流れ方向の下流側端部からの結露水の飛散を抑制することが可能になる。
【００１３】
第５観点に係る室内熱交換器は、第１観点から第４観点のいずれかに係る室内熱交換器であって、０．２≦ＷＬ／ＷＦ≦０．５の関係を満たす。ここで、ＷＦは、空気流れ方向における伝熱フィンの長さである。ＷＬは、空気流れ方向における連通部の長さである。
【００１４】
この室内熱交換器では、伝熱フィンの材料費を抑制しつつ連通部を十分に確保することで結露水の飛散を抑制できる。
【００１５】
第６観点に係る室内熱交換器は、第１観点から第５観点のいずれかに係る室内熱交換器であって、伝熱フィンは、切り起こし部を有している。切り起こし部の長手方向は、上下方向である。
【００１６】
この室内熱交換器では、伝熱フィンが切り起こし部を有しているため、伝熱性能を向上させることが可能になっている。
【００１７】
第７観点に係る室内熱交換器は、第１観点から第６観点のいずれかに係る室内熱交換器であって、４．６≦ＤＰ／ＨＴ≦８．０の関係を満たす。
【００１８】
この室内熱交換器では、冷媒の蒸発器として用いられた場合に生じる結露水の飛散をより抑制させやすい。
【００１９】
第８観点に係る空気調和装置は、第１観点から第７観点のいずれかに係る室内熱交換器を有する室内機と、室外熱交換器を有する室外機と、を備えている。
【００２０】
この空気調和装置では、室内熱交換器が冷媒の蒸発器として用いられた場合に生じる結露水の飛散を抑制させやすい。
【図面の簡単な説明】
【００２１】
【図１】空気調和装置の概略構成図である。
【図２】室外ユニットの概略外観斜視図である。
【図３】室外ユニットの平面視概略構成図である。
【図４】室外熱交換器の概略外観斜視図である。
【図５】室外フィンと室外扁平管との位置関係を示す説明図である。
【図６】室内ユニットの概略外観斜視図である。
【図７】室内ユニットの平面視概略構成図である。
【図８】室内ユニットの図７のＡ−Ａ断面における側面視概略構成図である。
【図９】室内熱交換器の概略外観斜視図である。
【図１０】室内熱交換器の部分拡大概略外観斜視図である。
【図１１】室内フィンと室内扁平管との位置関係を示す説明図である。
【図１２】室内フィンと室内扁平管との接合状体を示す説明図である。
【図１３】変形例Ａに係る室内フィンと室内扁平管との位置関係を示す説明図である。
【図１４】変形例Ａに係る室内フィンが有する導水リブの、図１３におけるＢ−Ｂ断面のうちの空気流れ方向の下流側近傍部分の説明図である。
【発明を実施するための形態】
【００２２】
（１）空気調和装置の構成
図１に、空気調和装置１の概略構成図を示す。
【００２３】
空気調和装置１は、蒸気圧縮式の冷凍サイクルを行うことによって、建物等の室内の冷房および暖房を行うことが可能な装置である。
【００２４】
空気調和装置１は、主として、室外ユニット２と、室内ユニット３と、室外ユニット２と室内ユニット３とを接続する冷媒経路である液冷媒連絡管４およびガス冷媒連絡管５と、を有している。そして、空気調和装置１の蒸気圧縮式の冷媒回路６は、室外ユニット２と、室内ユニット３とが冷媒連絡管４、５を介して接続されることによって構成されている。冷媒連絡管４、５は、空気調和装置１を建物等の設置場所に設置する際に、現地にて施工される冷媒管である。特に限定されないが、本実施形態では、当該冷媒回路６に作動冷媒としてＲ３２が充填されている。
【００２５】
（２）室外ユニット
（２−１）室外ユニットの概略構成
室外ユニット２は、室外（建物の屋上や建物の壁面近傍等）に設置されており、冷媒回路６の一部を構成している。室外ユニット２は、主として、アキュムレータ７、圧縮機８と、四路切換弁１０と、室外熱交換器１１と、膨張機構としての室外膨張弁１２と、液側閉鎖弁１３と、ガス側閉鎖弁１４と、室外ファン１５と、ケーシング４０と、を有している。
【００２６】
アキュムレータ７は、ガス冷媒を圧縮機に供給するための容器であり、圧縮機８の吸入側に設けられている。
【００２７】
圧縮機８は、低圧のガス冷媒を吸入し、圧縮して高圧のガス冷媒を吐出する。
【００２８】
室外熱交換器１１は、冷房運転時には圧縮機８から吐出された冷媒の放熱器として機能し、暖房運転時には室内熱交換器５１から送られてくる冷媒の蒸発器として機能する熱交換器である。室外熱交換器１１は、その液側が室外膨張弁１２に接続されており、ガス側が四路切換弁１０に接続されている。
【００２９】
室外膨張弁１２は、冷房運転時には室外熱交換器１１において放熱された冷媒を室内熱交換器５１に送る前に減圧し、暖房運転時には室内熱交換器５１において放熱された冷媒を室外熱交換器１１に送る前に減圧することが可能な電動膨張弁である。
【００３０】
室外ユニット２の液側閉鎖弁１３には、液冷媒連絡管４の一端が接続されている。室外ユニット２のガス側閉鎖弁１４には、ガス冷媒連絡管５の一端が接続されている。
【００３１】
室外ユニット２の各機器および弁間は、冷媒管１６〜２２によって接続されている。
【００３２】
四路切換弁１０は、圧縮機８の吐出側が室外熱交換器１１側に接続されるとともに圧縮機８の吸入側がガス側閉鎖弁１４側に接続される状態（図１における四路切換弁１０の実線を参照）と、圧縮機８の吐出側がガス側閉鎖弁１４側に接続されるとともに圧縮機８の吸入側が室外熱交換器１１側に接続される状態（図１における四路切換弁１０の破線を参照）と、を切り換えることにより、後述する冷房運転の接続状態と暖房運転の接続状態とを切り換える。
【００３３】
室外ファン１５は、室外ユニット２の内部に配置され、室外空気を吸入して、室外熱交換器１１に室外空気を供給した後に、ユニット外に排出する空気流れ（図３において矢印で示す。）を形成する。このように、室外ファン１５によって供給される室外空気は、室外熱交換器１１の冷媒との熱交換における冷却源又は加熱源として用いられる。
【００３４】
ケーシング４０は、図２の室外ユニット２の概略外観斜視図および図３の室外ユニット２の平面視概略構成図に示すように、主として、底フレーム４０ａと、天板４０ｂと、左前板４０ｃと、右前板４０ｄと、右側板４０ｅとを有している。底フレーム４０ａは、ケーシング４０の底面部分を構成する横長の略長方形状の板状部材であり、下面に固定された固定脚４１によって現地設置面に設置される。天板４０ｂは、ケーシング４０の天面部分を構成する横長の略長方形状の板状部材である。左前板４０ｃは、主として、ケーシング４０の左正面部分及び左側面部分を構成する板状部材であり、室外ファン１５によって背面側及び左側面側からケーシング４０内に取り込まれた空気を前面側に吹き出すための吹出口が、上下に２つ並んで形成されている。各吹出口には、それぞれにファングリル４２が設けられている。右前板４０ｄは、主として、ケーシング４０の右正面部分及び右側面の前部を構成する板状部材である。右側板４０ｅは、主として、ケーシング４０の右側面の後部及び右背面部分を構成する板状部材である。
【００３５】
なお、ケーシング４０内には、室外ファン１５等が配置される送風機室と、圧縮機８等が配置される機械室と、を仕切る仕切板４３が設けられている。
【００３６】
（２−２）室外熱交換器の概略構造
図４に、室外熱交換器１１の概略外観斜視図を示す。
【００３７】
室外熱交換器１１は、主として、ガス側分流器２３と、液側分流器２４と、複数の流入側折返し部材２５と、複数の反流入側折返し部材２６と、複数の室外扁平管９０と、複数の室外フィン９１と、を有している。ここでは、室外熱交換器１１を構成するこれらのすべてが、アルミニウムまたはアルミニウム合金で形成されており、互いにロウ付け等によって接合されている。
【００３８】
複数の室外扁平管９０は、上下に並んで配置されている。
【００３９】
複数の室外フィン９１は、室外扁平管９０に沿うようにして、板厚方向に並べられており、複数の室外扁平管９０に対して固定されている。
【００４０】
ガス側分流器２３は、冷媒管１９と、複数の室外扁平管９０のうちの上方に配置されているものと、に接続されている。室外熱交換器１１が冷媒の放熱器として機能する際には、冷媒管１９から室外熱交換器１１に流入した冷媒を、複数の高さ位置に分流して、複数の室外扁平管９０のうちの上方に配置されているものに送る。
【００４１】
液側分流器２４は、冷媒管２０と、複数の室外扁平管９０のうちの下方に配置されているものと、に接続されている。室外熱交換器１１が冷媒の放熱器として機能する際には、複数の室外扁平管９０のうちの下方に配置されているものから流れ込んだ冷媒を合流させ、冷媒管２０を介して室外熱交換器１１の外部に流出させる。
【００４２】
複数の流入側折返し部材２５は、ガス側分流器２３と液側分流器２４の間に配置されており、互いに異なる高さ位置に設けられた室外扁平管９０の端部同士を接続する。
【００４３】
反流入側折返し部材２６と、室外熱交換器１１のうち、ガス側分流器２３と液側分流器２４と複数の流入側折返し部材２５が設けられている側の端部とは反対側の端部に設けられており、互いに異なる高さ位置に設けられた室外扁平管９０の端部同士を接続する。
【００４４】
このように、室外熱交換器１１では、複数の流入側折返し部材２５や反流入側折返し部材２６が設けられていることで、室外熱交換器１１の両端で冷媒を折返しながら冷媒を流すことが可能になっている。
【００４５】
（２−３）室外扁平管
図５に、室外扁平管９０の内部の流路９０ｃが延びる方向に垂直な断面で切断した状態で、当該流路９０ｃが延びる方向から見た室外フィン９１と室外扁平管９０との位置関係を示す。
【００４６】
室外扁平管９０は、鉛直上方を向いて上面を構成している上側扁平面９０ａと、鉛直下方を向いて下面を構成している下側扁平面９０ｂと、冷媒が流れる多数の小さな流路９０ｃを有している。室外扁平管９０が有する複数の流路９０ｃは、空気流れ方向（図５において矢印で示す。流路９０ｃの流路断面視における室外扁平管９０の長手方向）に並んで設けられている。複数の室外扁平管９０は、いずれも、上下方向の高さＨＴで同じものが用いられている。ここで、高さＨＴは、室外扁平管９０の上側扁平面９０ａと下側扁平面９０ｂとの高さ方向における幅をいう。これらの複数の室外扁平管９０は、上下方向に所定のピッチ（段ピッチＤＰ）で配列されている。ここで、段ピッチＤＰは、室外扁平管９０の上側扁平面９０ａの間隔である。
【００４７】
なお、本実施形態の室外熱交換器１１は、複数の室外扁平管９０の空気流れ方向下流側端部は、室外フィン９１の空気流れ方向の下流側端部よりもさらに下流側に位置するように構成されている。これにより、室外熱交換器１１の製造時または運搬時における室外フィン９１の風下側端部の損傷や破損が抑制される。
【００４８】
（２−４）室外フィン
室外フィン９１は、空気流れ方向および上下方向に広がる板状部材であり、板厚方向に所定の間隔で複数配置されており、室外扁平管９０に固定されている。
【００４９】
室外フィン９１は、複数の差し込み部９２、室外連通部９７ａ、複数の風下部９７ｂ、ワッフル部９３、風上側フィンタブ９４ａ、風下側フィンタブ９４ｂ、室外スリット９５、風上側リブ９６ａ、風下側リブ９６ｂ等を有している。なお、室外フィン９１の平坦な箇所における板厚方向の厚みは、例えば、０．０５ｍｍ以上０．１５ｍｍ以下である。
【００５０】
差し込み部９２は、室外フィン９１風下側の縁部から風上側に向けて風上側縁部の手前まで水平方向に切り込まれるようにして形成されている。複数の差し込み部９２は、上下方向に並ぶように設けられている。なお、差し込み部９２は、バーリング等によって形成されるフィンカラーを構成している。この差し込み部９２の形状は、室外扁平管９０の断面の外形にほぼ一致しており、当該差し込み部９２には、室外扁平管９０が挿入された状態で互いにロウ付け固定されている。
【００５１】
室外連通部９７ａは、室外フィン９１のうち、室外扁平管９０の風上側端部よりも更に風上側において、上下方向に連続した部分である。なお、着霜耐力を確保する観点から、室外扁平管９０の風上端から室外フィン９１の室外連通部９７ａにおける風上端までの空気流れ方向の距離は４ｍｍ以上であることが好ましい。
【００５２】
複数の風下部９７ｂは、室外連通部９７ａにおける異なる高さ位置から、空気流れ方向下流側に向けて伸び出している。なお、各風下部９７ｂは、隣り合う差し込み部９２によって上下方向に囲まれている。
【００５３】
ワッフル部９３は、室外フィン９１のうち空気流れ方向の中央近傍に形成されており、板厚方向における隆起部分と非隆起部分を含んで構成されている。
【００５４】
風上側フィンタブ９４ａおよび風下側フィンタブ９４ｂは、室外フィン９１同士の間隔を規制するために、それぞれ風上側端部近傍と風下側端部近傍に設けられている。
【００５５】
室外スリット９５は、室外フィン９１における伝熱性能を向上させるために平坦部分から板厚方向に切り起こされて構成された部分であり、ワッフル部９３の空気流れ方向下流側に形成されている。室外スリット９５は、その長手方向が上下方向（室外扁平管９０の配列方向）となるように形成されており、空気流れ方向に複数（本実施形態では２つ）が並ぶように形成されている。これらの室外スリット９５では、平坦な部分から板厚方向の同じ側に切り起こされることで、空気流れ方向上流側と下流側にそれぞれ開口を有するものである。
【００５６】
風上側リブ９６ａは、風上側フィンタブ９４ａの上下において、互いに上下に隣り合う室外扁平管９０同士の間で、空気流れ方向に延びるように形成されている。風下側リブ９６ｂは、風上側リブ９６ａの風下側端部から連続してさらに風下側に延びるように設けられている。
【００５７】
（３）室内ユニット
（３−１）室内ユニットの概略構成
図６に、室内ユニット３の外観斜視図を示す。図７に、室内ユニット３の天板を取り除いた状態を示す概略平面図を示す。図８に、図７中にＡ−Ａで示す切断面における室内ユニット３の概略側面断面図を示す。
【００５８】
室内ユニット３は、本実施形態では、空調対象空間である室内等の天井に天井の開口に埋め込まれることで設置されるタイプの室内機であり、冷媒回路６の一部を構成している。室内ユニット３は、主として、室内熱交換器５１と、室内ファン５２と、ケーシング３０と、フラップ３９と、ベルマウス３３と、ドレンパン３２と、を有している。
【００５９】
室内熱交換器５１は、冷房運転時には室内熱交換器５１から送られてくる冷媒の蒸発器として機能し、暖房運転時には圧縮機８から吐出された冷媒の放熱器として機能する熱交換器である。室内熱交換器５１は、その液側が液冷媒連絡管４の室内側端部に接続されており、ガス側がガス冷媒連絡管５の室内側端部に接続されている。
【００６０】
室内ファン５２は、室内ユニット３のケーシング本体３１の内部に配置された遠心送風機である。室内ファン５２は、室内の空気を化粧パネル３５の吸込口３６を通じてケーシング３０内に吸入し、室内熱交換器５１を通過させた後、化粧パネル３５の吹出口３７を通じてケーシング３０外へ吹き出す空気流れ（図８において矢印で示す。）を形成する。このように、室内ファン５２によって供給される室内空気は、室内熱交換器５１の冷媒と熱交換することにより温度が調節される。
【００６１】
ケーシング３０は、ケーシング本体３１と、化粧パネル３５と、を主として有している。
【００６２】
ケーシング本体３１は、空調室の天井Ｕに形成された開口に挿入されるようにして配置されており、その平面視において、長辺と短辺とが交互に形成された略８角形状の箱状体であり、下面が開口している。このケーシング本体３１は、天板および天板の周縁部から下方に延びる複数の側板を有している。
【００６３】
化粧パネル３５は、天井Ｕの開口に嵌め込まれるようにして配置されており、ケーシング本体３１の天板および側板よりも平面視における外側に広がっており、ケーシング本体３１の下方に室内側から取り付けられる。化粧パネル３５は、内枠３５ａと外枠３５ｂを有している。内枠３５ａの内側には、下方に向けて開口した略四角形状の吸込口３６が形成されている。吸込口３６の上方には、吸込口３６から吸入された空気中の塵埃を除去するためのフィルタ３４が設けられている。外枠３５ｂの内側であって内枠３５ａの外側には、下方から斜め下方に向けて開口した吹出口３７と角部吹出口３８が形成されている。吹出口３７は、化粧パネル３５の平面視における略四角形状の各辺に対応する位置に、第１吹出口３７ａと、第２吹出口３７ｂと、第３吹出口３７ｃと、第４吹出口３７ｄと、を有している。角部吹出口３８は、化粧パネル３５の平面視における略四角形状の４角に対応する位置に、第１角部吹出口３８ａと、第２角部吹出口３８ｂと、第３角部吹出口３８ｃと、第４角部吹出口３８ｄと、を有している。
【００６４】
フラップ３９は、吹出口３７を通過する空気流れの方向を変更可能な部材である。フラップ３９は、第１吹出口３７ａに配置される第１フラップ３９ａと、第２吹出口３７ｂに配置される第２フラップ３９ｂと、第３吹出口３７ｃに配置される第３フラップ３９ｃと、第４吹出口３７ｄに配置される第４フラップ３９ｄと、を有している。各フラップ３９ａ〜ｄは、ケーシング３０の所定の位置において回動可能に軸支されている。
【００６５】
ドレンパン３２は、室内熱交換器５１の下側に配置され、室内熱交換器５１において空気中の水分が凝縮して生じるドレン水を受けとる。このドレンパン３２は、ケーシング本体３１の下部に装着されている。ドレンパン３２には、平面視において、室内熱交換器５１の内側において上下方向に伸びた円筒形状の空間が形成されており、当該空間の内側下方にベルマウス３３が配置されている。ベルマウス３３は、吸込口３６から吸入される空気を室内ファン５２に案内する。また、ドレンパン３２には、平面視において、室内熱交換器５１の外側において上下方向に伸びた複数の吹出流路４７ａ〜ｄ、角部吹出流路４８ａ〜ｃが形成されている。吹出流路４７ａ〜ｄは、下端において第１吹出口３７ａと連通する第１吹出流路４７ａと、下端において第２吹出口３７ｂと連通する第２吹出流路４７ｂと、下端において第３吹出口３７ｃと連通する第３吹出流路４７ｃと、下端において第４吹出口３７ｄと連通する第４吹出流路４７ｄと、を有している。角部吹出流路４８ａ〜ｃは、下端において第１角部吹出口３８ａと連通する第１角部吹出流路４８ａと、下端において第２角部吹出口３８ｂと連通する第２角部吹出流路４８ｂと、下端において第３角部吹出口３８ｃと連通する第３角部吹出流路４８ｃと、を有している。
【００６６】
（３−２）室内熱交換器の概略構造
図９に、室内熱交換器５１の概略外観斜視図を示す。図１０に、室内熱交換器５１の複数の室内フィン６０の風上側の部分拡大外観斜視図を示す。
【００６７】
室内熱交換器５１は、室内ファン５２と同一高さ位置においてその周囲を囲むように曲げられた状態で、ケーシング本体３１の内部に配置されている。この室内熱交換器５１は、主として、液側ヘッダ８１と、ガス側ヘッダ７１と、折返しヘッダ５９と、複数の室内扁平管５５と、複数の室内フィン６０と、を有している。ここでは、室内熱交換器５１を構成するこれらのすべてが、アルミニウムまたはアルミニウム合金で形成されており、互いにロウ付け等によって接合されている。
【００６８】
なお、室内熱交換器５１は、空気流れ方向における風上側を構成する風上熱交換部７０（平面視における内側部分）と、空気流れ方向における風下側を構成する風下熱交換部８０（平面視における外側部分）と、を有している。
【００６９】
液側ヘッダ８１は、室内熱交換器５１のうち風下熱交換部８０の平面視における一端を構成しており、上下方向に延びた円筒形状部材である。液側ヘッダ８１には、液冷媒連絡管４の室内側の端部が接続されている。さらに、液側ヘッダ８１には、室内熱交換器５１のうち風下熱交換部８０を構成している室内扁平管５５が上下に並んで複数接続されている。
【００７０】
ガス側ヘッダ７１は、室内熱交換器５１のうち風上熱交換部７０の平面視における一端を構成しており、上下方向に延びた円筒形状部材である。ガス側ヘッダ７１には、ガス冷媒連絡管５の室内側の端部が接続されている。さらに、ガス側ヘッダ７１には、室内熱交換器５１のうち風上熱交換部７０を構成している室内扁平管５５が上下に並んで複数接続されている。
【００７１】
折返しヘッダ５９は、室内熱交換器５１のうち平面視における液側ヘッダ８１やガス側ヘッダ７１とは反対側の端部を構成しており、内部において上下方向に並んだ複数の折返し空間を有している。各折返し空間には、互いに同一高さ位置に設けられた風上熱交換部７０を構成している室内扁平管５５と風下熱交換部８０を構成している室内扁平管５５とがそれぞれ接続されている。これにより、折返しヘッダ５９では、異なる高さ位置の室内扁平管５５を流れた冷媒同士の混ざり合いを抑制しつつ、各高さ位置の室内扁平管５５を流れた冷媒を同一高さ位置の風上側（室内熱交換器５１が冷媒の蒸発器として機能する場合）もしくは風下側（室内熱交換器５１が冷媒の放熱器として機能する場合）の室内扁平管５５に折り返して送ることが可能になっている。
【００７２】
複数の室内扁平管５５は、風上熱交換部７０を構成しているものと、風下熱交換部８０を構成しているものが設けられている。すなわち、複数の室内扁平管５５は、室内熱交換器５１のうちの風上熱交換部７０において、上下方向に並んで配置されたものと、室内熱交換器５１のうちの風下熱交換部８０において、上下方向に並んで配置されたものと、を含んでいる。風上熱交換部７０を構成する複数の室内扁平管５５は、それぞれ、一端がガス側ヘッダ７１に接続されており、他端が折返しヘッダ５９の風上側部分に接続されている。風下熱交換部８０を構成する複数の室内扁平管５５は、それぞれ、一端が液側ヘッダ８１に接続されており、他端が折返しヘッダ５９の風下側部分に接続されている。
【００７３】
複数の室内フィン６０も、同様に、風上熱交換部７０を構成しているものと、風下熱交換部８０を構成しているものが設けられている。すなわち、複数の室内フィン６０は、室内熱交換器５１のうちの風上熱交換部７０を構成している室内扁平管５５に対して固定されたものと、室内熱交換器５１のうちの風下熱交換部８０を構成している室内扁平管５５に対して固定されたものと、を含んでいる。各室内フィン６０は、いずれも、室内扁平管５５に沿うようにして、室内フィン６０の板厚方向に並べられている。
【００７４】
（３−３）室内扁平管
図１１に、室内扁平管５５の内部の流路５５ｃが延びる方向に垂直な断面で切断した状態で、当該流路５５ｃが延びる方向から見た室内フィン６０と室内扁平管５５との位置関係を示す。
【００７５】
室内扁平管５５は、鉛直上方を向いて上面を構成している上側扁平面５５ａと、鉛直下方を向いて下面を構成している下側扁平面５５ｂと、冷媒が流れる多数の小さな流路５５ｃを有している。室内扁平管５５が有する複数の流路５５ｃは、空気流れ方向（図１１において矢印で示す。流路５５ｃの流路断面視における室内扁平管５５の長手方向）に並んで設けられている。複数の室内扁平管５５は、いずれも、上下方向の高さＨＴで同じものが用いられている。ここで、高さＨＴは、室内扁平管５５の上側扁平面５５ａと下側扁平面５５ｂとの高さ方向における幅をいい、１．２ｍｍ以上２．５ｍｍ以下であることが好ましい。これらの複数の室内扁平管５５は、風上熱交換部７０においても風下熱交換部８０においても同様に、上下方向に所定のピッチ（段ピッチＤＰ）で配列されている。ここで、段ピッチＤＰは、室内扁平管５５の上側扁平面５５ａの間隔であり、８．０ｍｍ以上１５．０ｍｍ以下であることが好ましい。ここで、室内熱交換器５１は、４．０≦ＤＰ／ＨＴ≦１０．０の関係を満たしている。なお、室内熱交換器５１のＤＰ／ＨＴの下限としては、４．６以上であることが好ましく、室内熱交換器５１のＤＰ／ＨＴの上限としては、８．０以下であることが好ましく、室内熱交換器５１が４．６≦ＤＰ／ＨＴ≦８．０の関係を満たしていることが好ましい。
【００７６】
また、本実施形態の空気調和装置１では、室内熱交換器５１のＤＰ／ＨＴの値が、上述した室外熱交換器１１のＤＰ／ＨＴの値よりも小さい関係を満たすようにしている。
【００７７】
なお、風上熱交換部７０を構成する室内扁平管５５と、風下熱交換部８０を構成する室内扁平管５５とは、本実施形態では、空気流れ方向視において、各高さ位置で互いに重なるように配置されている。
【００７８】
また、本実施形態の室内熱交換器５１では、複数の室内扁平管５５の空気流れ方向上流側端部と、室内フィン６０の空気流れ方向の上流側端部とは、空気流れ方向において概ね同じ位置に設けられている。
【００７９】
（３−４）室内フィン
室内フィン６０は、空気流れ方向および上下方向に広がる板状部材であり、板厚方向に所定の間隔で複数配置されており、室内扁平管５５に固定されている。なお、風上熱交換部７０を構成する室内フィン６０と、風下熱交換部８０を構成する室内フィン６０とは、本実施形態では、空気流れ方向視において、それぞれ概ね互いに重なるように配置されている。また、風上熱交換部７０を構成する室内フィン６０の風下側端部と、風下熱交換部８０を構成する室内フィン６０の風上側端部は、少なくとも一部分において互いに接触するように配置されている。
【００８０】
室内フィン６０は、風上熱交換部７０を構成するものも風下熱交換部８０を構成するものも同様に、主面６１、複数のフィンカラー部６５ａ、室内連通部６４、複数の風上部６５、メインスリット６２、連通位置スリット６３、等を有している。なお、室内フィン６０の平坦な主面６１における板厚方向の厚みは、例えば、０．０５ｍｍ以上０．１５ｍｍ以下である。また、複数の室内フィン６０の板厚方向におけるピッチ（互いに隣り合う室内フィン６０における同じ側の面同士の間隔）は、１．０ｍｍ以上１．６ｍｍ以下であることが好ましい。
【００８１】
主面６１は、室内フィン６０のうち、フィンカラー部６５ａやメインスリット６２や連通位置スリット６３が設けられていない平坦部分を構成している。
【００８２】
フィンカラー部６５ａは、室内フィン６０の風上側の縁部から風下側に向けて風下側縁部の手前まで水平方向に延びるように形成されている。複数のフィンカラー部６５ａは、上下方向に並ぶように設けられている。なお、フィンカラー部６５ａは、バーリング等によって形成されている。このフィンカラー部６５ａの輪郭形状は、室内扁平管５５の断面の外形にほぼ一致しており、当該フィンカラー部６５ａには、室内扁平管５５が挿入された状態で互いにロウ付け固定されている。ここで、図１２に、室内扁平管５５の流路５５ｃを冷媒通過方向に沿って鉛直方向を含む面で切断した断面における、室内フィン６０と室内扁平管５５との接合状態を示す。フィンカラー部６５ａは、図１２に示すように、主面６１に対して、主面６１の板厚方向のうちメインスリット６２の切り起こし側とは反対側に立ち上げられて構成されている。また、フィンカラー部６５ａの主面６１側とは反対側には、対応する室内扁平管５５の上側扁平面５５ａ（または下側扁平面５５ｂ）から遠ざかる方向に延びるように曲げられた位置決め部６５ｘが設けられている。この位置決め部６５ｘは、隣接する室内フィン６０の主面６１に面接触することで、各室内フィン６０の板厚方向の間隔を規定している。このようなフィンカラー部６５ａは、図１２に示すように、室内扁平管５５の上側扁平面５５ａ（または下側扁平面５５ｂ）との間にロウ材５８が介在した状態でロウ付けにより接合されている。なお、特に限定されないが、図１２に示すように、室内扁平管５５の下側扁平面５５ｂ側において、主面６１に対するフィンカラー部６５ａの立ち上げが始まっている箇所と、メインスリット６２の切り起こしが始まっている箇所と、の間の距離ＤＳは、１ｍｍ以下であることが好ましい。室内扁平管５５の下側扁平面５５ｂにおける結露水は、メインスリット６２の切り起こしが始まっている箇所を介して下方に導かれて排水されることから、当該距離ＤＳを１ｍｍ以下の短い距離とすることで、室内扁平管５５の下側扁平面５５ｂにおいて結露水が保持され続けることを抑制することができる。
【００８３】
室内連通部６４は、室内フィン６０のうち、室内扁平管５５の風下側端部よりも更に風下側において、上下方向に連続した部分である。なお、室内フィン６０のうちの室内連通部６４の空気流れ方向における幅ＷＬと、室内フィン６０の空気流れ方向における幅ＷＦと、の関係は、０．２≦ＷＬ／ＷＦ≦０．５の関係を満たすことが好ましい。
【００８４】
複数の風上部６５は、室内連通部６４における異なる高さ位置から、空気流れ方向上流側に向けて伸び出している。なお、各風上部６５は、隣り合うフィンカラー部６５ａによって上下方向に囲まれている。この各風上部６５の上下方向の長さは、ＤＰ−ＨＴで定義される。
【００８５】
メインスリット６２は、室内フィン６０における伝熱性能を向上させるために平坦な主面６１から板厚方向に切り起こされて構成された部分であり、室内フィン６０のうちの各風上部６５に形成されている。メインスリット６２は、空気流れ方向に複数（本実施形態では４つ）が並ぶように形成されている。
【００８６】
連通位置スリット６３も、室内フィン６０における伝熱性能を向上させるために平坦な主面６１から板厚方向に切り起こされて構成された部分であり、室内フィン６０のうちの室内連通部６４において、複数の高さ位置に形成されている。連通位置スリット６３は、各高さ位置に設けられたメインスリット６２の空気流れ方の下流側に、それぞれ対応するように設けられている。連通位置スリット６３は、その長手方向が上下方向となるように形成されており、上端が対応するメインスリット６２の上端よりもさらに高く、下端が対応するメインスリット６２の下端よりもさらに低い位置まで上下方向に長く形成されている。
【００８７】
これらのメインスリット６２および連通位置スリット６３は、平坦な主面６１から板厚方向の同じ側に切り起こされることで、空気流れ方向上流側と下流側にそれぞれ開口を有するものである。
【００８８】
（４）空気調和装置の動作
次に、図１を用いて、空気調和装置１の動作について説明する。空気調和装置１では、圧縮機８、室外熱交換器１１、室外膨張弁１２、室内熱交換器５１の順に冷媒を流す冷房運転と、圧縮機８、室内熱交換器５１、室外膨張弁１２、室外熱交換器１１の順に冷媒を流す暖房運転と、が行われる。
【００８９】
（４−１）冷房運転
冷房運転時には、室外熱交換器１１が冷媒の放熱器となり室内熱交換器５１が冷媒の蒸発器となるように、四路切換弁１０の接続状態が切り換えられる（図１の実線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０を通じて、室外熱交換器１１に送られる。室外熱交換器１１に送られた高圧のガス冷媒は、冷媒の放熱器として機能する室外熱交換器１１において、室外ファン１５によって冷却源として供給される室外空気と熱交換を行って放熱して、高圧の液冷媒になる。この高圧の液冷媒は、室外膨張弁１２を通過する際に冷凍サイクルにおける低圧になるまで減圧され、気液二相状態の冷媒となって、液側閉鎖弁１３および液冷媒連絡管４を通じて、室内ユニット３に送られる。
【００９０】
低圧の気液二相状態の冷媒は、室内熱交換器５１において、冷房運転時は室内ファン５２によって加熱源として供給される室内空気と熱交換を行って蒸発する。これにより、室内熱交換器５１を通過する空気は冷却され、室内の冷房が行われる。なお、この際に、室内熱交換器５１を通過する空気に含まれる水分が凝縮することで、室内熱交換器５１の表面に結露水が生じる。室内熱交換器５１において蒸発した低圧のガス冷媒は、ガス冷媒連絡管５を通じて、室外ユニット２に送られる。
【００９１】
室外ユニット２に送られた低圧のガス冷媒は、ガス側閉鎖弁１４、四路切換弁１０およびアキュムレータ７を通じて、再び、圧縮機８に吸入される。冷房運転では、以上のようにして、冷媒が冷媒回路６を循環する。
【００９２】
（４−２）暖房運転
暖房運転時には、室外熱交換器１１が冷媒の蒸発器となり室内熱交換器５１が冷媒の放熱器となるように、四路切換弁１０の接続状態が切り換えられる（図１の破線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０、ガス側閉鎖弁１４およびガス冷媒連絡管５を通じて、室内ユニット３に送られる。
【００９３】
高圧のガス冷媒は、室内熱交換器５１において、室内ファン５２によって冷却源として供給される室内空気と熱交換を行って放熱して、高圧の液冷媒になる。これにより、室内熱交換器５１を通過する空気は加熱され、室内の暖房が行われる。室内熱交換器５１で放熱した高圧の液冷媒は、液冷媒連絡管４を通じて、室外ユニット２に送られる。
【００９４】
室外ユニット２に送られた高圧の液冷媒は、液側閉鎖弁１３を通じて、室外膨張弁１２において冷凍サイクルの低圧まで減圧され、低圧の気液二相状態の冷媒になる。室外膨張弁１２で減圧された低圧の気液二相状態の冷媒は、冷媒の蒸発器として機能する室外熱交換器１１において、室外ファン１５によって加熱源として供給される室外空気と熱交換を行って蒸発して、低圧のガス冷媒になる。この低圧のガス冷媒は、四路切換弁１０およびアキュムレータ７を通じて、再び、圧縮機８に吸入される。暖房運転では、以上のようにして、冷媒が冷媒回路６を循環する。
【００９５】
（５）特徴
（５−１）
一般に、室内熱交換器における室内フィンの熱伝達率は、室内扁平管を設ける間隔を狭めるほど高くすることができる。しかし、室内扁平管を設ける間隔を狭めてしまうと、室内扁平管の間を通過する空気流れの流速が増大してしまい、結露水が飛散してしまいやすい。また、室内扁平管の上下方向の高さが大きい場合についても、同様に、室内扁平管の間を通過する空気流れの流速が増大してしまい、結露水が飛散してしまいやすい。他方で、室内扁平管を設ける間隔を広くすると、室内フィンの熱伝達率が低下することから、室内熱交換器における冷媒の蒸発温度を下げざるを得ず、結露水が生じやすい環境になってしまう。
【００９６】
これに対して、本実施形態の室内熱交換器５１およびこれを備えた空気調和装置１では、ＨＴを室内扁平管５５の上下方向の高さとし、ＤＰを複数の室内扁平管５５の上下方向のピッチとした場合に、４．０≦ＤＰ／ＨＴ≦１０．０の関係を満たすものを採用している。このように、室内熱交換器５１のＤＰ／ＨＴの値を当該数値範囲とすることが結露水抑制のために良好であることは、ＤＰおよびＨＴの各値を変化させた解析データにより明らかとなった。
【００９７】
すなわち、このように、室内熱交換器５１のＤＰ／ＨＴの値を４．０以上とすることにより、室内フィン６０を横切るように流れる空気流れの流速が大きくなりすぎることを抑制し、室内ファン５２の風量を増大させて用いる場合であっても、空気流れが大きいことによって生じる風下側端部からの結露水の飛散を抑制することが可能になる。
【００９８】
さらに、室内熱交換器５１のＤＰ／ＨＴの値を１０．０以下とすることにより、室内フィン６０の領域のうち室内扁平管５５から遠く離れた領域を小さく抑えて室内フィン６０の熱伝達率を向上させることができるため、能力を確保するために室内熱交換器５１の冷媒の蒸発温度を低下させる必要性を抑制し、結露水が生じにくくすることにより、室内ファン５２の風量を増大させて用いる場合であっても、室内フィン６０からの結露水の飛散を抑制することが可能になる。
【００９９】
なお、室内熱交換器５１を４．６≦ＤＰ／ＨＴ≦８．０の関係を満たすように構成した場合には、結露水の飛散を抑制する効果をより顕著なものとすることが可能になる。
【０１００】
（５−２）
一般に、空気調和装置の室外ユニットにおいて用いられる室外熱交換器では、冷媒の蒸発器として機能させる際の室外フィンでの着霜により、通風抵抗が増大しがちになることから、室外扁平管のピッチを広くとることが求められる。このような扁平管のピッチが広い構造の室外熱交換器と同じ構造の熱交換器を、室内熱交換器にも流用しようとすると、扁平管のピッチが広いために室内フィンの熱伝達率が低下し、室内熱交換器における冷媒の蒸発温度を下げざるを得ず、結露水が生じやすくなってしまう。
【０１０１】
これに対して、本実施形態の室内熱交換器５１およびこれを備えた空気調和装置１ではでは、ＨＴを扁平管９０、５５の上下方向の高さとし、ＤＰを複数の扁平管９０、５５の上下方向のピッチとした場合に、室内熱交換器５１のＤＰ／ＨＴの値が室外熱交換器１１のＤＰ／ＨＴの値よりも小さい関係を満たすようにしている。
【０１０２】
このため、結露水の飛散が問題とならない室外熱交換器１１においては、蒸発器として用いられる場合の着霜を抑制させつつ、結露水の飛散が問題となりがちな室内熱交換器５１においては、室内フィン６０の熱伝達率を向上させて、蒸発器として用いられる場合について、室内熱交換器５１の冷媒の蒸発温度を低下させる必要性を抑制し、結露水が生じにくくすることにより、結露水の飛散を抑制させることが可能になる。
【０１０３】
（５−３）
本実施形態の室内熱交換器５１では、風上熱交換部７０と風下熱交換部８０を有しており、少なくとも室内扁平管５５が２列以上配置された構造が採用されている。
【０１０４】
このため、室内熱交換器５１において生じる結露水のうち風上熱交換部７０において生じた結露水は、風上熱交換部７０と風下熱交換部８０との間の部分または風下熱交換部８０において下方に導いて排水させることが容易となる。また、風下熱交換部８０には、風上熱交換部７０を通過する際に風上熱交換部７０において結露水を生じさせることで乾き度が増した空気が供給されるため、風下熱交換部８０で生じる結露水を少なく抑えることが可能になり、風下熱交換部８０の風下側端部からの結露水の飛散を抑制することが可能になる。
【０１０５】
（５−４）
本実施形態の室内熱交換器５１では、室内フィン６０は、室内扁平管５５の風下側に室内連通部６４が設けられている。このため、室内扁平管５５で生じた結露水を、空気流れ方向における下流側に位置している室内フィン６０の室内連通部６４に伝わせながら下方に導いて排水させやすい。したがって、室内フィン６０の空気流れ方向の下流側端部からの結露水の飛散を抑制することが可能になる。
【０１０６】
特に、本実施形態の室内熱交換器５１では、室内扁平管５５が２列以上配置された構造において、風下熱交換部８０の室内フィン６０の下流側に室内連通部６４が設けられているため、室内フィン６０の下流側端部における結露水の発生を抑制させつつ、発生した結露水の排水性を高めることが可能になっている。
【０１０７】
（５−５）
本実施形態の室内熱交換器５１では、ＷＦを空気流れ方向における室内フィン６０の長さとし、ＷＬを空気流れ方向における室内連通部６４の長さとした場合に、０．２≦ＷＬ／ＷＦ≦０．５の関係を満たすようにしている。このように、室内フィン６０においてＷＬ／ＷＦの値を０．２以上とすることで、室内連通部６４の空気流れ方向の幅を十分に確保し、室内熱交換器５１において生じた結露水を室内連通部６４を介して下方に排水させやすくしている。また、室内フィン６０においてＷＬ／ＷＦの値を０．５以下とすることで、室内フィン６０の領域のうち室内扁平管５５から遠く離れて伝熱性能の向上に寄与しにくい領域を小さく抑えることで、室内フィン６０の性能を維持しつつ材料費を抑制させることが可能になる。
【０１０８】
特に、室内フィン６０に室内連通部６４を、室内扁平管５５の空気流れ方向の下流側に位置させつつ、室内フィン６０のＷＬ／ＷＦの値を０．２以上のものとすることで、室内扁平管５５で生じた結露水の室内連通部６４を介した排水性を高めることが可能になる。
【０１０９】
（５−６）
本実施形態の室内熱交換器５１では、室内フィン６０において、空気流れ方向に開口が生じるように切り起こされて構成されたメインスリット６２および連通位置スリット６３が設けられている。このため、室内熱交換器５１に供給される空気を、室内フィン６０に十分に接するようにすることが可能となり、空気熱源を十分に利用することが可能となる。
【０１１０】
なお、メインスリット６２および連通位置スリット６３の上端は、直上に位置する室内扁平管５５の下方部分の近くに位置するように設けられているため、当該直上の室内扁平管５５において生じた結露水を捕らえて下方に導きやすく、排水性を高めることが可能になっている。特に、図１２に示すように、室内扁平管５５の下側扁平面５５ｂ側において、室内フィン６０の主面６１に対するフィンカラー部６５ａの立ち上げが始まっている箇所と、室内フィン６０のメインスリット６２の切り起こしが始まっている箇所と、の間の距離ＤＳが１ｍｍ以下に設計されることで、室内扁平管５５の下側扁平面５５ｂ側での結露水の滞留を抑制し、排水性能を高めることができている。
【０１１１】
（６）変形例
（６−１）変形例Ａ
上記実施形態では、室内フィン６０の下流側端部が平坦な形状である場合を例に挙げて説明した。
【０１１２】
しかし、室内フィン６０の下流側端部の形状は、これに限られるものではなく、例えば、以下に述べるように、空気流れ方向の下流側端部に沿うように延びた導水リブ９９を有する室内フィン６０ａを用いてもよい。
【０１１３】
図１３に、室内フィン６０ａと室内扁平管５５との位置関係を、図１４に、導水リブ９９の図１３におけるＢ−Ｂ断面のうちの空気流れ方向の下流側近傍部分を、それぞれ示す。
【０１１４】
本変形例Ａに係る室内熱交換器５１においても、上記実施形態と同様に、風上熱交換部７０と風下熱交換部８０を有して構成されており、風上熱交換部７０と風下熱交換部８０のそれぞれの室内フィン６０ａにおいて、空気流れ方向の下流側に設けられた室内連通部６４の空気流れ方向下流側端部に沿うように上下に延びた導水リブ９９が設けられている。当該導水リブ９９は、図１４に示すように、周囲の主面６１に対して、室内フィン６０ａの板厚方向に凹むようにして構成されている。導水リブ９９は、特に限定されないが、室内フィン６０ａの板厚以上凹んで構成されていることが好ましい。
【０１１５】
このように室内フィン６０ａに導水リブ９９を設けることで、室内熱交換器５１において生じた結露水を、当該導水リブ９９において捕らえさせ、当該導水リブ９９を伝って下方に結露水を導きやすくなる。このため、結露水が室内フィン６０ａの風下側端部に到達することを抑制し、結露水の飛散を十分に抑制することが可能になる。
【０１１６】
なお、導水リブ９９は、室内フィン６０ａの室内連通部６４における空気流れ方向の幅の半分よりも下流側に設けられていることが好ましく、室内連通部６４の空気流れ方向の幅のうち空気流れ方向の下流側端部から２０％以内の位置に設けられていることがより好ましい。
【０１１７】
なお、導水リブ９９を設ける室内フィン６０ａにおいては、特に、室内フィン６０のうちの室内連通部６４の空気流れ方向における幅ＷＬと、室内フィン６０の空気流れ方向における幅ＷＦと、の関係が、０．２≦ＷＬ／ＷＦの関係を満たしていることが好ましい。
【０１１８】
（６−２）変形例Ｂ
上記実施形態では、室内熱交換器５１が風上熱交換部７０と風下熱交換部８０を有し、室内扁平管５５が２列に並んで設けられている場合を例に挙げて説明した。
【０１１９】
しかし、室内熱交換器５１が備える室内扁平管５５の空気流れ方向に並ぶ列の数は２つに限られるものではなく、３列以上の複数列としてもよい。このように室内扁平管５５の列数を増大させることで、室内熱交換器５１の空気流れ方向の下流側端部からの結露水の飛散をより効果的に抑制することが可能となる。
【０１２０】
（６−３）変形例Ｃ
上記実施形態では、室内熱交換器５１において、風上熱交換部７０に属する複数の室内扁平管５５と、風下熱交換部８０に属する複数の室内扁平管５５とが、空気流れ方向視において互いに重なるように配置される場合を例に挙げて説明した。
【０１２１】
しかし、室内熱交換器５１としては、これに限られるものではなく、より風上側の熱交換部に属する複数の室内扁平管５５と、より風下側の熱交換部に属する複数の室内扁平管５５とが、空気流れ方向視において互いに重ならないように配置されていてもよい。これにより、風上側に位置する室内扁平管５５にも風下側に位置する室内扁平管５５にも、十分に空気流れを当てることが可能になる。
【０１２２】
（６−４）変形例Ｄ
上記実施形態では、室内熱交換器５１の室内フィン６０において、室内フィン６０の主面６１に対して板厚方向の一方側にスリット片全体が位置するように切り起こされて構成されるメインスリット６２や連通位置スリット６３が設けられている場合を例に挙げて説明した。
【０１２３】
しかし、室内フィン６０に形成される切り起こしとしては、これに限られず、メインスリット６２や連通位置スリット６３の変わりに、例えば、切り起こされるスリット片について、スリット片の空気流れ方向の風上側端部が室内フィン６０の主面６１の板厚方向の一方側に位置し、スリット片の空気流れ方向の風下側端部が室内フィン６０の主面６１の板厚方向の他方側に位置するようなルーバーと称される構造を採用するようにしてもよい。
【０１２４】
以上、本開示の実施形態及び変形例を説明したが、特許請求の範囲に記載された本開示の趣旨及び範囲から逸脱することなく、形態や詳細の多様な変更が可能なことが理解されるであろう。
【符号の説明】
【０１２５】
１  空気調和装置
２  室外ユニット（室外機）
３  室内ユニット（室内機）
１１  室外熱交換器
５１  室内熱交換器
５５  室内扁平管
５５ｃ  流路
６０  室内フィン（伝熱フィン）
６２  メインスリット（切り起こし部）
６３  連通位置スリット（切り起こし部）
６４  室内連通部（連通部）
６５  風上部（上下に並んだ前記扁平管同士の間に位置する各部分）
９０  室外扁平管（扁平管）
９０ｃ  流路
９１  室外フィン
９７ａ  連通部
９７ｂ  風下部
【先行技術文献】
【特許文献】
【０１２６】
特許文献１：特開２０１６−０４１９８６号公報
【図１】
2019128060.tif 000003
【図２】
2019128060.tif 000004
【図３】
2019128060.tif 000005
【図４】
2019128060.tif 000006
【図５】
2019128060.tif 000007
【図６】
2019128060.tif 000008
【図７】
2019128060.tif 000009
【図８】
2019128060.tif 000010
【図９】
2019128060.tif 000011
【図１０】
2019128060.tif 000012
【図１１】
2019128060.tif 000013
【図１２】
2019128060.tif 000014
【図１３】
2019128060.tif 000015
【図１４】
2019128060.tif 000016